(57)【要約】【課題】  巻き取り装置における記録媒体装着作業を効率化する。【解決手段】  芯菅１１は、保護テープ付き粘着テープ（１４）が、外周数箇所に、長手方向に一列（ラインＸ上）に整列して設けられている。  粘着テープ（１４）は、でプリンタに装着する際、記録媒体（１８）がロール状に巻かれた状態からすでに芯管（１１）に貼着されており、記録媒体（１８）を使い終わると、粘着テープ（１４）が表れる。粘着テープ（１４）は、粘着部（１２）と保護テープ（１３）とを有し、巻き取り装置を使用する際には、保護テープ（１３）を剥がして使用する。【選択図】  図１
2006056622.tif 000002
【特許請求の範囲】
【請求項１】
ロール状記録媒体に画像記録し得るインクジェット記録装置であって、
ロール状記録媒体は、芯体と、前記芯体に巻きつけられた記録媒体とを含み、
前記芯体には、記録媒体が画像記録後に除去されたときに、新たに記録媒体の先端を固定し得る固定手段が設けられ、
これによって前記芯体の再利用が可能になっているインクジェット記録装置。
【請求項２】
前記記録媒体が画像記録後に除去された後の芯体を、再利用して回転可能に支持し得る芯体支持部を備え、前記画像記録された記録媒体を、前記芯体支持部にセットされた前記芯体によって巻き取る巻き取り装置をさらに備えることを特徴とする請求項１記載のインクジェット記録装置。
【請求項３】
前記固定手段は、前記記録媒体を前記芯体に貼着する粘着層を含むことを特徴とする請求項１または２記載のインクジェット記録装置。
【請求項４】
前記固定手段は、前記粘着層の前記記録媒体への粘着を防止するとともに、前記粘着層から剥離可能な保護手段とを含むことを特徴とする請求項３記載のインクジェット記録装置。
【請求項５】
前記固定手段は、前記芯体の長手方向に間欠的に配列されていることを特徴とする請求項３または４記載のインクジェット記録装置。
【請求項６】
前記固定手段は、前記芯体の全長に渡って連続的に形成されていることを特徴とする請求項３または４記載のインクジェット記録装置。
【請求項７】
前記保護層には、前記記録媒体のサイズごとに、前記記録媒体を固定する芯体長手方向の位置を示す切れ目が付されていることを特徴とする請求項３乃至６のいずれかに記載のインクジェット記録装置。
【請求項８】
前記固定手段は、前記保護手段が粘着層を保護する状態で、芯体表面が平滑になるように、前記粘着層の部分が前記保護手段の厚さだけの凹部となっていることを特徴とする請求項３乃至７のいずれかに記載のインクジェット記録装置。
【請求項９】
前記保護手段には、前記記録媒体の先端を位置合わせするための直線的な切れ目が、前記芯体長手方向に形成されたことを特徴とする請求項３乃至８のいずれかに記載のインクジェット記録装置。
【請求項１０】
前記固定手段は、前記芯体に形成され、前記記録媒体を挿入し得る溝を含むことを特徴とする請求項１または２記載のインクジェット記録装置。
【請求項１１】
前記溝は、開口端から奥部に向かって幅が狭められていることを特徴とする請求項１０記載のインクジェット記録装置。
【請求項１２】
前記固定手段には、前記記録媒体のサイズごとに、前記記録媒体を固定する長手方向の位置を示す目印が付されていることを特徴とする請求項８乃至１１のいずれかに記載のインクジェット記録装置。
【請求項１３】
前記固定手段は、前記芯体の全長に渡って連続的に形成されていることを特徴とする請求項８乃至１２のいずれかに記載のインクジェット記録装置。
【請求項１４】
前記固定手段は、前記芯体の長手方向に直線的形成されていることを特徴とする請求項１乃至１３の何れかに記載のインクジェット記録装置。
【請求項１５】
前記固定手段は、前記芯体の周方向に複数配列されていることを特徴とする請求項１乃至１４の何れかに記載のインクジェット記録装置。
【請求項１６】
芯体と、前記芯体に巻きつけられた記録媒体とを含み、
前記芯体には、前記記録媒体が画像記録後に除去されたときに、新たに記録媒体の先端を固定し得る固定手段が設けられ、
これによって前記芯体の再利用が可能になっているロール状記録媒体。
【発明の詳細な説明】
【技術分野】
【０００１】
本発明はインクジェット記録装置に係り、特にロール状記録媒体に画像を記録し得るインクジェット記録装置に関する。
【背景技術】
【０００２】
インクジェット記録方式は、低騒音、高解像度、高速記録等多くの利点を有し、多くの分野に適用されている。
【０００３】
適用分野の１つである大判プリンタでは、ポスター等屋外に長時間貼付される印刷物を生成することがあり、この場合、ロール紙を記録媒体とし、耐候性（耐光性、耐水性、耐オゾン性など）を向上させる為に印刷物の表面に、ラミネート加工を施すことが多い。またロール紙は、一般に芯管（芯棒）に巻かれている（特許文献１参照）。
【０００４】
ラミネート加工は、印刷物１枚ごとにラミネータにより行なうことも可能であるが、一般には、必要枚数分の画像が記録されたロール紙を、重みで折れ曲がることがないよう巻き取り装置にロール状に巻き取る。その後、この巻き取り装置からラミネータにロール紙を送給し、ラミネート加工後に、印刷物のサイズに合わせて、ラミネート加工済のロール紙（ラミネート製品）を切断する。
【０００５】
また、印刷物は数十メートルにおよぶ長尺画像のこともあり、ロール紙を巻き取り装置で巻き取る場合、印刷時に使用した芯管は再利用され、作業者は、ロール紙の芯管を巻き取り装置に装着し、大判プリンタから排出された印刷物の先端部を、セロハンテープやハサミ等を使用して芯管に貼着し、巻き付ける。
【特許文献１】特開平０９−１９４１４４号公報
【発明の開示】
【発明が解決しようとする課題】
【０００６】
巻き取り装置で記録媒体を芯管に巻き付ける工程において、芯管に対し記録媒体が曲がっていると、記録媒体の巻き取りにつれて、記録媒体が斜行して、ついには芯管からはみ出し、記録媒体が破損する。
【０００７】
特に、長尺印刷物は画像記録に長時間を要し、終夜運転が行なわれることもあり、記録媒体の芯管からのはみ出しが極めて大きなものとなる可能性がある。
【０００８】
また、作業者は、芯管に記録媒体を貼着するための粘着テープやハサミを常に用意しなければならず、大判プリンタのための本来の消耗品（ロール紙、インク等）以外の管理項目が増え、煩雑である。
【０００９】
本発明はこのような従来の問題点を解消すべく創案されたもので、巻き取り装置における記録媒体装着作業を効率化することを目的とする。
【課題を解決するための手段】
【００１０】
本発明は、ロール状記録媒体に画像記録し得るインクジェット記録装置であって、ロール状記録媒体は、芯体と、前記芯体に巻きつけられた記録媒体とを含み、前記芯体には、記録媒体が画像記録後に除去されたときに、新たに記録媒体の先端を固定し得る固定手段が設けられ、前記芯体の再利用が可能になっている。これによって、巻き取り装置における記録媒体装着作業を効率化し得る。
【００１１】
また、本発明に係るロール状記録媒体は、芯体と、前記芯体に巻きつけられた記録媒体とを含み、前記芯体には、前記記録媒体が画像記録後に除去されたときに、新たに記録媒体の先端を固定し得る固定手段が設けられ、前記芯体の再利用が可能になっている。これによって、巻き取り装置における記録媒体装着作業を効率化し得る。
【発明の効果】
【００１２】
本発明によれば、巻き取り装置における記録媒体装着作業を効率化し得る。
【発明を実施するための最良の形態】
【００１３】
次に、本発明に係るインクジェット記録装置の好適な実施形態を図面に基づいて説明する。
（第１実施形態）
【００１４】
以下、本発明の第1実施形態を図１〜図７に基づき説明する。
［装置構成全体の説明］
【００１５】
まず、本発明の内容の理解を助けるために、インクジェット記録装置及び巻き取り装置の機能の概要から説明を開始する。
［インクジェット記録装置］
【００１６】
図２はロール紙（ロール状記録媒体）に画像を形成するインクジェット記録装置の外観斜視図である。
【００１７】
図２において、インクジェット記録装置（以下「プリンタ」）１は、一対の脚部３によって両端部が支持された水平な装置本体２を備え、装置本体２の中央上部には、開閉可能なアッパーカバー４が取り付けられている。アッパーカバー４は透明であり、装置本体２内部を透視し得る。
【００１８】
装置本体２の前側右端部には、プリンタ１を操作する為の操作パネル５が設けられるとともに、画像形成のためのインクを貯蔵するインクタンク６が装着されている。
【００１９】
装置本体２の前面下部には、ロール紙１０（図１）を収納するロールカセット部８が設けられ、ロールカセット部８を前方向へ開くことにより、ロール紙１０をセットし得る。
【００２０】
ロール紙１０はスプールを装着した状態でロールカセット部８内に収納され、ロールカセット部８内から引き出されて、記録部（図示所略）に導かれ、画像形成される。画像形成された記録媒体１８（図４）は、装置本体２前面の、ロールカセット部８上端に沿って設けられた排紙口７から排出される。
【００２１】
なおプリンタ１による画像記録に関する詳細事項は、本発明の本質ではないので、省略する。
［巻き取り装置］
【００２２】
図３は、プリンタ１から排出された記録媒体１８を巻き取るための巻き取り装置を示す分解斜視図である。
【００２３】
巻き取り装置３０は、プリンタ１の排紙口７から排出された画像媒体１８を、ロール状に巻き取る為の装置である。
【００２４】
図３において、巻き取り装置３０は、プリンタ１の脚部３に取り付け可能であり、巻き取り装置３０には、脚部３への取り付けのための取り付け板２４が設けられている。なお、巻き取り装置３０をプリンタ１と独立した装置とすることも当然可能である。
【００２５】
巻き取り装置３０には、ロール紙１０の芯管（芯体）１１の両端部を支持する芯管ホルダー２７、２８が設けられ、芯管ホルダー２８は、ロール紙１０長手方向にスライドし、芯管１１の長さが変化したときにも、芯管ホルダー２７とともに確実に芯管１１を保持し得る。一方、芯管ホルダー２７は駆動部２９によって回転駆動され、芯管１１を巻き取り方向に回転する。
【００２６】
駆動部２９には、芯管ホルダー２７を駆動するモーター（図示省略）およびこのモーターを制御するためのモーター制御回路が内蔵され、駆動部２９の表面には、巻き取り装置３０を制御するスイッチ２５、２６が設けられている。
【００２７】
スイッチ２５は、ロール紙１０巻き取り方法を自動、手動のいずれかに設定するＡＵＴＯ／ＭＡＮＵＡＬモード切替えスイッチであり、スイッチ２６は、巻き取り方法を手動に設定したときに、巻き取りを実行するためのＦＥＥＤ／ＦＯＲＷＡＲＤ切替えスイッチである。
【００２８】
また駆動部２９には、記録媒体１８が所定位置にあるか否かを検知する用紙センサ６０が設けられている。
【００２９】
巻き取り方法を自動に設定すると、排出された記録媒体１８を用紙センサ６０によって自動検知し、この自動検知に呼応して、自動的に巻き取り動作を開始する。また記録媒体１８が存在しなくなり、用紙センサ６０が記録媒体１８を検知しなくなると、巻き取り動作を自動的に停止する。
【００３０】
巻き取り方法を手動に設定すると、用紙センサ６０による自動巻き取り機能を使用せず、ＦＥＥＤ／ＦＯＲＷＡＲＤ切替えスイッチ２６によって、手動で用紙を巻き取りを開始する。ＦＥＥＤ／ＦＯＲＷＡＲＤスイッチ２６は、ＯＮ状態の間の駆動装置２９のモーターを駆動する。
【００３１】
ロール紙１０の芯管１１は、記録媒体１８を使用し終わった後に再利用される。芯管１１はロール紙１０のサイズ（例えば、Ａ０版、Ｂ０版）に応じた長さであり、芯管ホルダー２８は芯管１１の長さに応じて移動されて、芯管ホルダー２７とともに芯菅１１を保持する。
［巻き取り装置の自動モードの原理］
【００３２】
次に、巻き取り方法を自動に設定したときの用紙センサ６０の動作を説明する。
【００３３】
図４は用紙センサ６０の詳細を示す斜視図である。
【００３４】
図４において、用紙センサ６０は、プリンタ１から排出された記録媒体１８の重さで押下され、記録媒体１８が存在しなくなったときに自動復帰するレバー（アクチュエータ）６１を有し、レバー６１にはフォトインタラプタ６２が連結されている。レバー６１は、その上下動によってフォトインタラプタ６２をＯＮ、ＯＦＦさせる。
【００３５】
記録媒体１８がレバー６１の所定位置に到達すると、レバー６１は記録媒体１８の重さで押下され、フォトインタラプタ６２から検知信号が出力される。すなわち、記録媒体１８の存在をフォトインタラプタ６２からの検出信号として検知し得る。
【００３６】
フォトインタラプタ６２の検知信号は、駆動部２９のモーター制御回路に送られ、モーターを始動する。モーターは、ギヤ（図示省略）を介して芯管ホルダー２７を回転駆動し、記録媒体１８を巻き取り装置３０に巻き取る。
【００３７】
例えば、図４の（ｂ）では、記録媒体１８の巻き取りが完了し、レバー６１が上がっており、モーターは停止している。ここで、プリンタ１が画像記録等により記録媒体１８を排出し、（ｃ）に示すように、記録媒体１８が所定位置より低下してレバー６１を押し下げた場合、フォトインタラプタ６２は検知信号を出力し、モーターが駆動され、巻き取り装置３０は所定量の巻き取りを行う。
［画像記録にための操作および装置の動作］
【００３８】
図５は画像記録のための操作および装置の動作の説明をするフローチャートであり、ステップ１〜１４の操作および処理を実行する。
【００３９】
ステップ１：まず、プリンタ１に電源を入れ、画像記録に必要なロール紙１０、インクタンク６、記録ヘッド等を所定の位置にセットする。
【００４０】
すると、プリンタ１内部のイニシャライズチェック及びメカチェックが開始され、キャリッジホームポジション検知動作、インク供給／クリーニング、ノズルチェック動作等が行われ、プリンタ１は画像記録可能な状態にセットされる。もし、プリンタ１が画像記録可能な状態に準備されていない時は、ユーザーに対して、「用紙がセットされていない」等の問題個所を操作パネル５上に表示し、ユーザー対してエラー内容を解決するように促す。これによってプリンタ１は画像記録可能な状態に準備される。
【００４１】
ステップ２：プリンタ１が画像記録可能な状態になったとき、プリンタ１に接続されたＰＣ（図示省略）等から、記録する画像、出力枚数、記録モード、用紙カット有無等の情報をプリンタ１に転送する。
【００４２】
ステップ３：すると、プリンタ１内部のキャリッジ(図示省略)が主走査方向（図２の矢印Ａ方向）に移動しつつ、キャリッジに装着された記録ヘッド（図示省略）からインクが吐出され、記録媒体１８に画像が記録される。
【００４３】
キャリッジの１回の主走査の後に、搬送ローラ（図示省略）によって、記録媒体１８は副走査方向（図２中の矢印Ｂ方向）に搬送され、キャリッジの主走査に伴うインク吐出と、ロール紙副走査とを交互に繰り返すことにより、連続的な画像記録が行われる。
【００４４】
このように記録媒体１８に画像や文字等が記録されている状態を「印字中」という。
【００４５】
ステップ４：記録媒体１８に対して所定量の画像記録が行われると、プリンタ１の排紙口７から記録媒体１８の排出が開始される。
【００４６】
ステップ５：その後、画像記録動作と排出動作が同時に進行する。
【００４７】
ステップ６：ステップ２で用紙カット有を設定したか否かを判断する。用紙カットモードを選択したときは、記録媒体１８をカットして、そのまま画像記録を終了する。すなわち画像記録が終了した時点でプリンタ１に備え付けられたカッター（図示省略）によりロール紙をカットし、記録が終了となる。一方、用紙カットモードでないときは、ステップ７に進む。
【００４８】
ステップ７：巻き取り装置３０を使用して画像記録後の記録媒体１８を巻き取るためには、まず、プリンタ１から排出された記録媒体１８の先端を巻き取り装置３０に固定する。このとき、芯管１１に記録媒体１８の先端を２巻き程度巻き付ける必要があり、さらにプリンタ１の排紙口７から巻き取り装置３０まで距離の分記録媒体１８を引き出す必要がある。
【００４９】
そこで、これらの長さだけ記録媒体１８が排出されたか否かを判断する。
【００５０】
記録媒体１８の排出長さが充分であるときは、ステップ８に進み、記録媒体１８の排出長さが不充分のときはステップ５に戻り、必要な長さになるまで画像記録を行う。
【００５１】
ステップ８：巻き取り装置３０に巻き付ける為に十分な長さの画像記録が行われたときは、操作パネル５上に「巻き始め処理をして下さい。」等のメッセージを表示し、ユーザーに対して巻き取り装置３０に巻き付ける為の準備を促す。
【００５２】
ステップ９：ユーザーは、記録媒体１８の幅（サイズＡ０版、Ｂ０版等）に合った芯管１１を用意し、巻き取り装置３０にセットする。最初から巻き取り装置３０に芯管１１がセットされている場合にはこの作業は省略される。つまり、芯管１１は、巻き取り装置３０を使用するまでに準備されていればよく、インクやロール紙１０のセット時にセットし、あるいは画像記録と並行してセットを行う等、任意のタイミングでセットし得る。
【００５３】
ステップ１０：ユーザーは、巻き取り装置３０において芯管１１に、排出された記録媒体１８の先端を固定する作業を行う。まず、ユーザーは記録媒体１８先端の固定に必要なセロハンテープ等粘着テープと、粘着テープを切るためのハサミ等を用意する。そして、記録媒体１８先端が芯管１１に対してまっすぐになるよう配慮しつつ、粘着テープによって記録媒体１８先端を芯管１１に数箇所固定する。
【００５４】
ステップ１１：その後、芯管１１に記録媒体１８先端を２巻き以上巻き付ける為に、ユーザーはスイッチ２５によって巻き取り装置３０を手動モードに設定し、スイッチ２６をＯＮ、ＯＦＦさせながら記録媒体１８を芯管１１に２巻き以上巻き付ける。
【００５５】
ステップ１２：芯管ホルダー２７、２８への芯管１１の取り付け、記録媒体１８の巻き付け等の始端処理が完了したとき、ユーザーはスイッチ２５を自動モードに切替える。
【００５６】
ステップ１３：以後、プリンタ１から画像記録済の記録媒体１８が排出されるごとに、記録媒体１８は自動的に巻き取り装置３０に巻き取られる。このとき、画像記録動作も同時進行している。
【００５７】
ステップ１４：プリンタ１の画像記録が完了したときには、操作パネル５に「印字が終了しました。」等にメッセージが表示される。ここでユーザーはスイッチ２５を再び手動モードに切替え、記憶媒体１８終端からの長さを考慮しながら、プリンタ１のカッターを使用して、記録媒体１８をカットする。さらに、記録媒体１８の終端を手で持ちながら、ＦＥＥＤ／ＦＯＲＷＡＲＤスイッチ２６を使用して、記録媒体１８終端を巻き取る終端処理を施す。
［芯菅］
【００５８】
図１は、第１実施形態に使用される芯菅を示す斜視図である。
【００５９】
図１の芯菅１１は、図５のステップ１０における、記録媒体１８の先端を粘着テープとハサミ等を使用して芯管１１に巻き付ける工程を容易にする。
【００６０】
図１において、（ａ）はロール紙１０である。なお、本発明に係る記録媒体１８は、紙に限定されるものではなく、フィルム系、布系、その他の材質よりなるロール状の記録媒体を広く含む。
【００６１】
図１（ａ）は大判プリンタ等で使用されることの多いロール紙１０を示している。
【００６２】
図１（ｂ）は、記録媒体１８を使用し終わって、芯菅１１が残された状態を示す。芯管１１の材質には、高硬度のダンボール等が多く使用され、普通の人が普通の力で握った程度では容易に変形しない。
【００６３】
また、プリンタ１にセットされるロール紙１０は、記録媒体１８が芯管１１に固定された後に、芯菅１１に巻かれている。そして、記録媒体１８を使い終わった時に、記録媒体１８が芯管１１から簡単に外れるよう、芯管１１に粘着性の部分が残らないように配慮され、あるいは、たとえ粘着性の部分が残っても、充分弱い粘着度とされ、時間が経つと粘着性が消失する。これによって、使用済の芯菅１１を巻き取り装置３０に転用し得る。
【００６４】
図１（ｃ）において、第１実施形態の芯菅１１は、固定手段である保護テープ付き粘着テープ（以下「粘着テープ」）１４が、外周数箇所に、長手方向に一列（ラインＸ上）に整列して設けられている。
【００６５】
粘着テープ１４は、図１（ａ）でプリンタ１に装着する際、記録媒体１８がロール状に巻かれた状態からすでに芯管１１に貼着されており、記録媒体１８を使い終わると、図１(ｃ)の状態となって粘着テープ１４が表れる。
【００６６】
粘着テープ１４は、粘着テープの粘着部１２と粘着テープの粘着部を保護するための保護手段である保護テープ１３とを有し、巻き取り装置３０を使用する際には、保護テープ１３を剥がして使用する。
【００６７】
図１（ａ）の状態における記録媒体１８の芯管１１への固定に際しては、粘着テープ１４の位置を避けつつ、記録媒体１８を芯管１１に粘着テープ等で貼着する。これによって、記録媒体１８が使用し終わった時に、記録媒体１８とともに保護テープ１３が剥がされることを防止し得る。
【００６８】
なお、図１（ｃ）では、粘着テープ１４を芯管１１の長手方向に複数貼着した例を示したが、長手方向に長い一本の粘着テープに数ヶ所切れ込みを入れてある粘着テープでも構わない。
【００６９】
さらに、図１（ｃ）では、粘着テープ１４を一列に整列して設けたが、このような粘着テープ列を円周方向に複数設けることも可能である。この場合、記録媒体の巻き始め部分は、粘着テープ１４の位置を避けて配置される。複数の粘着テープ列を設けることにより、芯菅１１の巻き取り装置３０での再利用回数を延着テープ列の個数まで増やすことができる。
【００７０】
粘着テープ１４は、いわゆる両面テープの構成を有し、内側面が芯管１１表面に貼着され、外側面が保護テープ１３で覆われており、芯管１１を再利用してロール紙１０を新たに取り付ける際には、保護テープ１３を剥がして使用する。
【００７１】
図１（ｃ）では、右端の粘着テープ１４のみについて保護テープ１３を剥がしている。このとき粘着部１２が表れる。
【００７２】
粘着テープ１４の粘着部１２の粘着強度は、基本的には両面均等に設定されるが、ロール紙１０の芯管１１側は、ダンボールのような付着性の良好な材質の為、一度貼った粘着部１２は容易に剥がれない。一方、保護テープ１３はセロハンのような剥離しやす材質である為、剥離は容易である。
【００７３】
図１（ａ）の状態のように、芯管１１に記録媒体１８が巻きつけられた状態で粘着テープ１４の跡が記録媒体１８に残ることを防止するために、粘着テープ１４は、なるべく厚みが薄いものが好ましい。粘着テープ１４を極力薄くするためには、粘着テープ１４を両面テープの構成とせず、芯管１１に直接粘着材を塗り、粘着材層を保護する構成を採用してもよい。
【００７４】
粘着テープ１４の長手方向の取り付け位置は、図１（ｃ）に示したラインＸのように、まっすぐな線に沿って整列することが重要である。このように、粘着テープ１４を一直線上に配列すれば、記録媒体１８を芯管１１に取り付ける際、記録媒体１８先端と粘着テープ１４側面を合わせて貼ることで、記録媒体１８を斜行させずにセットすることができる。
【００７５】
また、粘着テープ１４の取り付け間隔は任意であるが、ロール紙１０のホームポジション（書き始め）側は、ロール紙１０が剥がれない程度の一定間隔で取り付け、反ホームポジション（書き終わり）側は、全幅に対応して、記録媒体１８の斜行を防止する目印となる程度に、配列することが好ましい。さらに、粘着テープと共に芯管１１に用紙サイズごとの終端位置を示しておくとよりわかり易い。
【００７６】
図１（ｃ）のように間欠的に粘着テープ１４を貼る場合、粘着テープ１４のサイズは、２〜３ｃｍ×７〜８ｃｍが妥当であるが、これに限定されるものではない。
【００７７】
ここで、第１実施形態のロール紙１０を使用した際の、巻き取り装置３０への取り付けについて説明する。
【００７８】
まず、ロール紙１０を芯管１１に巻き付けるのに十分な長さの記録媒体１８が排出されたときに、図１（c）の芯管１１を用意し、芯管１１のホームポジション側の位置が、巻き取り装置のホームポジション側になるよう注意しながら巻き取り装置３０に取り付ける。
【００７９】
そして、出力された記録媒体１８の先端部分を芯管１１に取り付けられたホームポジション側の粘着テープに合わせて貼り付ける。その際、記録媒体１８の先端面と粘着テープ１４の側面を合わせて貼りあわせることにより、記録媒体１８をまっすぐに貼ることができる。
【００８０】
続いて、芯菅１１上の粘着テープ１４の保護テープ１３を剥がし、記録媒体１８先端を粘着テープ１４の側面に合わせて貼る。
【００８１】
このように、記録媒体１８先端を、ラインＸに沿って一直線上に貼られた粘着テープ１４の側面に合わせて貼ることで、記録媒体１８の斜行およびそれにともなう記録媒体破損を防止し得る。さらに、セロハンテープやハサミなどを別途用意、管理する煩雑な作業からユーザーを解放できる。また、粘着テープ付加のコストは充分安価に抑えることができ、消耗品のコストに影響を与えることはない。
（第２実施形態）
【００８２】
図６は本発明に係るインクジェット記録装置に第２実施形態に用いる芯管を示し、（ａ）は斜視図、（ｂ）は断面図である。
【００８３】
図６（ａ）、（ｂ）において、芯管1１表面には、芯管１１の長手方向全長と略等しい長さの粘着テープ１４が長手方向に貼着され、粘着テープ１４には粘着層１２および保護テープ１３が設けられている。
【００８４】
さらに芯管1１表面における粘着テープ１４が貼着されていない部分には、保護テープ１３と同一厚さのシート１５が設けられている。例えば、シート１５は紙で形成され、芯管1１表面に貼着される。
【００８５】
これによって、芯管1１の外側に、粘着テープ１４とシート１５とによって凹凸のない円筒面Ｆが形成され、この円筒面Ｆに記録媒体１８を巻き付けたときに、記録媒体１８に粘着テープ１３の跡が残るという問題を回避し得る。すなわち、粘着層１２の部分は、円筒面Ｆに対して、保護テープ１３の厚さだけ凹部となっている。
【００８６】
また、粘着テープ１４は芯管1１の長手に渡って連続しており、凹凸を生じない。この点においても、記録媒体１８に粘着テープ１４の跡が付くことが防止されている。
【００８７】
第１実施形態と同様、粘着テープ１４に、芯管１１長手方向全長に渡る切れ目等の目印を設け、この部分で保護テープ１３を剥がせる構成にしておけば、その部分を目印に記録媒体をまっすぐにセットすることができる。
【００８８】
また、粘着テープ１４の芯管１１長手方向に、記録媒体サイズごとの、記録媒体幅方向固定位置を示す切れ目を入れる等、目印を設けておけば、記録媒体固定作業が容易になる。
【００８９】
シート１５自体を粘着テープ１４によって構成することも可能であり、さらに、この粘着テープ１４に長手方向の直線状の切れ目を、円周方向に複数配列、各切れ目の部分に記録媒体を貼着することによって、芯管１１の複数回の再利用が可能である。
【００９０】
巻き取り装置３０への芯管１１の取り付け手順は、第１実施形態と同等であるので詳細な説明は省略するが、第１実施形態と同様に粘着テープ１４の側面に合わせて印字物の側面を合わせて貼り合わせることに注意する必要がある。
（第３実施形態）
【００９１】
図７は本発明に係るインクジェット記録装置に第３実施形態に用いる芯管を示す斜視図である。
【００９２】
図７において、ロール紙１０の芯管１１には、粘着テープに替えて、固定手段として記録媒体１８の先端を挿入するための巻き取り用溝１６が設けられている。
【００９３】
巻き取り用溝１６は、芯管１１の長手方向全長渡って直線的に設けられ、開口端から奥部（芯管１１の中心部側）に向かって徐々に狭まるように形成されている。これによって、巻き取り用溝１６に記録媒体１８を挿入する際、挿入の始めには容易に先端部を巻き取り用溝１６内に導入でき、記録媒体１８をさらに奥に挿入していくときに、記録媒体１８が巻き取り用溝１６の内壁面で挟圧される。これによって、記録媒体１８が巻き取り用溝１６から容易に脱落することが防止されている。
【００９４】
芯管１１を以上の構造としたことにより、記録媒体１８がロール紙１０の状態で巻かれているときに（図１（ａ））、粘着テープの跡が記録媒体に残る心配はない。また、粘着テープは粘着力の低下が不可避であり、粘着テープ自体の再利用は困難であるが、巻き取り用溝１６は長期間に渡って記録媒体１８固定機能が維持される。すなわち芯管１１が劣化するまで何度でも再利用できる。
【００９５】
また、巻き取り装置３０に記録媒体１８の先端を巻き付ける際、記録媒体１８先端に粘着テープの跡が残ることもなく、記録媒体１８が汚損される心配もない。
【００９６】
次に、第３実施形態の芯管１１を使用した際の、記録媒体１８の巻き取り装置３０への取り付けについて説明する。
【００９７】
巻き取り装置３０に芯管１１をセットした後、巻き付ける為に十分な長さの画像記録済記録媒体が排出されたとき、記録媒体の先端を両手で広げるようにして持ち、芯管１１の巻き取り用溝１６に突き当てて、そのまま記録媒体１８を巻き取り用溝１６中に押し込んでいく。すると、中央に行くにしたがって巻き取り用溝１６が狭くなっているので、記録媒体１８の先端がしっかりと固定され、記録媒体１８を斜行せずに巻き取ることができる。
【００９８】
なお以上の実施形態では、中空の芯管に記録媒体を巻きかけたが、芯管ホルダー２７，２８等で支持し得る形状であれば、両端に凹部を形成した中実円柱等、種々の形状の芯体を採用でき、断面形状も円形に限定されない。
（従来の作業工程）
【００９９】
次に、本発明の有効性の理解の為に、図５のステップ１０（巻き取り装置３０に記録媒体先端を巻き付ける工程）について、従来の装置の作業工程を説明する。
【０１００】
ユーザーは、巻き取り装置３０に取り付けられた芯管に、排出された記録媒体の先端を固定する為、セロハンテープなどの粘着テープとそれを切るための道具としてハサミなどを用意する。
【０１０１】
そして、芯管に巻き付ける為に十分な記録媒体が排出されたとき、ロール紙の芯管に対し、印字物の先端がまっすぐになるよう気をつけながら、粘着テープによって数箇所固定する。
【０１０２】
その際、「ロール紙１０に対して印字物の先端をまっすぐに止める」ということがポイントとなり、巻き始めが斜めに固定されると、巻き上げにともなって記録媒体が斜行し、記録媒体が芯管からはみ出し、印字物を駄目にしてしまう恐れがある。
【０１０３】
特に、ロール紙１０の状態では、記録媒体の先端部は小曲率半径で強く湾曲され、また大判プリンタの記録媒体サイズは紙幅１ｍ弱と、極めて大であるため、巻き取り装置３０への記録媒体のセットに際しては、比較的高度な技術を要する。
【０１０４】
巻き取り装置３０に記録媒体を取り付ける作業に不慣れなユーザーは、記録媒体の幅方向一端から他端に向かって順次粘着テープによる固定を行なう。このとき、1箇所固定し、次の箇所を固定するための粘着テープを必要なサイズに切り、湾曲した記録媒体をまっすぐに直しつつ、粘着テープで固定するという動作を繰り返す。このような動作を５、６回繰り返すうちに、大抵の場合、記録媒体先端の右端または左端が水平面よりも上がってしまい、記録媒体取り付けに曲りが生じ、記録媒体が斜行してしまうことが多い。
【０１０５】
そこで、少し操作に慣れてきたユーザーは、あらかじめ適当なサイズの粘着テープを数枚用意し、まず、記録媒体の中心部を固定し、左右のバランスをみながら固定するっといった方法で対応しているが、それでも時に、斜行してしまうことがある。
【図面の簡単な説明】
【０１０６】
【図１】本発明に係るインクジェット記録装置の第１実施形態に使用される芯菅を示す斜視図である。（第１実施形態）
【図２】本発明に係るインクジェット記録装置の第１実施形態を示す外観斜視図である。（第１実施形態）
【図３】本発明に係るインクジェット記録装置の第１実施形態に使用される巻き取り装置を示す斜視図図である。（第１実施形態）
【図４】図３の巻き取り装置における用紙センサを示す斜視図である。（第１実施形態）
【図５】本発明に係るインクジェット記録装置の第１実施形態における作業工程を示すフローチャートである。（第１実施形態）
【図６】本発明に係るインクジェット記録装置の第２実施形態に使用される芯菅を示す斜視図である。（第２実施形態）
【図７】本発明に係るインクジェット記録装置の第３実施形態に使用される芯菅を示す斜視図である。（第３実施形態）
【符号の説明】
【０１０７】
１  インクジェット記録装置（プリンタ）
１０  記録媒体（ロール紙１０）
１１  記録媒体（ロール紙１０）の芯管
１２  粘着テープの粘着部
１３  粘着テープの粘着部を保護するための保護テープ
１４  保護テープ付き粘着テープ
１５  粘着テープ付き保護テープと同等の厚さの紙
１６  印字物をロール紙１０の芯管にセットするための巻き取り装置用の溝
【図１】
2006056622.tif 000003
【図２】
2006056622.tif 000004
【図３】
2006056622.tif 000005
【図４】
2006056622.tif 000006
【図５】
2006056622.tif 000007
【図６】
2006056622.tif 000008
【図７】
2006056622.tif 000009